(57)【特許請求の範囲】
【請求項１】
係止爪が先端部に付着されたモジュラープラグに装着されるモジュラープラグ保持具であって、
前記モジュラープラグ保持具の構成部材として、前記モジュラープラグの底面の一部分を覆う底面部と、前記モジュラープラグの一方の側面の一部分及び前記モジュラープラグの上面の一部分を覆う第１部材と、前記モジュラープラグの他方の側面の一部分及び前記モジュラープラグの上面の前記第１部材で覆われていない一部分を覆う第２部材とを備え、
前記底面部と前記第１部材及び前記底面部と前記第２部材が折り曲げ可能に接続されて一体として形成され、
前記モジュラープラグを囲むように前記第１部材の端部と、前記第２部材の端部を結合することで、前記係止爪の前記モジュラープラグの本体方向に向けての移動を妨げる係止爪移動防止部材が前記係止爪と前記モジュラープラグの本体との間の隙間へ挿入されることを特徴とするモジュラープラグ保持具。
【請求項２】
前記モジュラープラグ保持具のモジュラープラグに接する面又は前記第１部材の端部と前記第２部材の端部にそれぞれ設けられる結合部を結合して前記モジュラープラグを囲むように前記モジュラープラグ保持具を構成する際に対向する結合部の少なくとも一つの面に薄膜の弾性部材が貼付されていることを特徴とする請求項１に記載のモジュラープラグ保持具。
【請求項３】
前記第１部材の端部と前記第２部材の端部にそれぞれ設けられる結合部に同軸の穴が設けられ、片方の穴に雌螺子が形成され、他方の穴へ挿通される雄螺子と前記雌螺子との螺合による係止力で前記モジュラープラグを覆う前記モジュラープラグ保持具が構成されることを特徴とする請求項１又は２に記載のモジュラープラグ保持具。
【請求項４】
前記同軸の穴が上下方向に設けられることを特徴とする請求項３に記載のモジュラープラグ保持具。
【請求項５】
前記係止爪を被う爪カバーを有する前記モジュラープラグに装着される前記モジュラープラグ保持具であって、
前記第１部材の端部と前記第２部材の端部にそれぞれ設けられる結合部を結合することで形成される前記係止爪を囲む前面開口部が前記爪カバーの先端部よりも前面に位置し、前記前面開口部に設けられた垂れ壁部の下端の前記モジュラープラグの上面からの距離が、前記爪カバーの先端部の上端の前記モジュラープラグの上面からの距離よりも小さく構成されていることを特徴とする請求項１乃至４の何れかに記載のモジュラープラグ保持具。
【請求項６】
前記モジュラープラグのモジュラージャックへ挿入される第一部分と、該第一部分よりも後面の側で高さ方向の寸法が階段状に大きくなる第二部分との間に段差を有する底面を備える前記モジュラープラグへ装着される前記モジュラープラグ保持具であって、
前記モジュラープラグへ取り付ける際に、前記段差よりも前面の側に位置し前記段差により前記モジュラープラグ保持具の回線ケーブル方向への移動を妨げる第一の移動防止部材を備えることを特徴とする請求項１乃至４の何れかに記載のモジュラープラグ保持具。
【請求項７】
回線ケーブルの延伸方向と略直角の方向に刻みが設けられたモジュラープラグブーツを備える前記モジュラープラグに取り付けられる前記モジュラープラグ保持具であって、
前記刻みにより前記モジュラープラグ保持具の回線ケーブル方向への移動を妨げる第二の移動防止部材を備えることを特徴とする請求項１乃至４の何れかに記載のモジュラープラグ保持具。
【請求項８】
前記モジュラープラグの底面の段差よりも前面の側に位置し前記段差により前記モジュラープラグ保持具の回線ケーブル方向への移動を妨げる第一の移動防止部材又は回線ケーブルの延伸方向と略直角の方向に設けられたモジュラープラグブーツの刻みにより前記モジュラープラグ保持具の回線ケーブル方向への移動を妨げる第二の移動防止部材を備える移動防止アダプタ６０が、前記モジュラープラグの本体へ係止される移動防止突起２４を有し、前記モジュラープラグの本体へ後付けされることを特徴とする請求項１乃至４の何れかに記載のモジュラープラグ保持具。
【請求項９】
前記構成部材を結合することで形成される前記モジュラープラグを囲む開口部の結合方向の寸法が、囲われる前記モジュラープラグの外形寸法よりも小さく構成されている部分を有することを特徴とする請求項１乃至８何れかに記載のモジュラープラグ保持具。
【請求項１０】
係止爪が先端部に付着された複数のモジュラープラグに装着されるモジュラープラグ保持具であって、
前記モジュラープラグの下部を保持する第２構成部材と該第２構成部材に係止されて前記モジュラープラグの上部を保持する第１構成部材を備え、
前記第１構成部材が前記係止爪のモジュラープラグ本体への移動を妨げる係止爪移動防止部材を有し、
前記係止爪移動防止部材４５が前記係止爪に当たらないように前記第１構成部材を前記第２構成部材へ載せた後に前記第１構成部材をずらして前記係止爪移動防止部材が前記係止爪と前記モジュラープラグ本体の間へ挿入されるように前記第１構成部材の前記モジュラープラグを保持する部分の幅方向の寸法が、前記第２構成部材の前記モジュラープラグを保持する部分の幅方向にずらす距離を加味した大きさに形成されていることを特徴とするモジュラープラグ保持具。
【発明の詳細な説明】
【技術分野】
【０００１】
本発明は、モジュラージャックからモジュラープラグが抜け出す事故を防止するモジュラープラグ保持具に関する。
【背景技術】
【０００２】
現在、企業や家庭で用いられるモジュラープラグは電 話 機 、モデム、ターミナルアダプタ、ルータ、ネットワークハブ 等の通信機器と回線用回線ケーブルを接続するために用いられる。具体的には電話回線ケーブルの接続にはＲＪ１１、ＬＡＮ回線ケーブルの接続にはＲＪ４５と言われるコネクタを使用することが多い。
【０００３】
ＲＪ１１やＲＪ４５のモジュラープラグにはモジュラージャックからの抜け防止用の係止爪（ラッチ）が備えられている（図２（Ａ）の符号４）。この係止爪はモジュラープラグの本体の先端部分に付着され素材の弾性によりプラグ本体から離れるように付勢されている。そして、係止爪の形状はモジュラープラグ先端の取り付け部分から回線ケーブルへ近づく途中で幅広部分から巾狭部分へと形成されている。モジュラープラグがＬＡＮポートなどに備えられたモジュラージャックへ差し込まれるとモジュラージャックの入り口に形成された係止爪の幅広部に比べ狭く形成されたコの字型の溝を有する係止部で係止爪の幅広部分がプラグ本体に近づくように押さえ込まれる。さらに奥へモジュラープラグが差し込まれると、係止部のコの字型の溝へ係止爪の巾狭部分が入る。そうすると付勢された係止爪がプラグ本体から離れる方向へ動き係止爪の幅広部分がモジュラージャックの係止部に引っかかりモジュラープラグを外す方向へ移動することを防止する（特許文献１を参照）。
【０００４】
モジュラープラグをモジュラージャックから外すときは、係止爪をモジュラープラグの本体へ近づけるように抑えて移動させることで、係止爪の幅広部分の係止部への係止を外す。また、係止爪を保護することと操作性を向上させるために、係止爪押下部（図２（Ａ）の符号５）となる爪カバーを有するモジュラープラグも多い。
【０００５】
意図しないコネクタ外れを防止するために、例えば特許文献２に示すようにモジュラージャックが取り付けられた筐体に回線ケーブル保持の部材を設けるなどが行われるがＬＡＮのハブなどのようにコネクタ密度の高い取り付け部位では実際的でない。
【０００６】
そこで係止爪がモジュラープラグの本体方向へ移動しないように係止爪とモジュラープラグ本体の間へ係止爪の動きを防止する部材を挿入することが行われている（特許文献３を参照）。
【先行技術文献】
【特許文献】
【０００７】
【特許文献１】特開２００３−３１７８１８号公報
【特許文献２】特開２０１０−２１４５４号公報
【特許文献３】特開２００７−１５７６５４号公報
【発明の概要】
【発明が解決しようとする課題】
【０００８】
特許文献３に開示される発明のモジュラー着脱防止具は、モジュラープラグを囲う保持枠及びモジュラープラグの本体と係止爪の間へ挿入される押下防止部を有する挿入部材により構成される。そこで、モジュラー着脱防止具を使うためには保持枠を予め回線ケーブルに通しておくか、モジュラージャックの付く一端部とは逆の他端部から挿入して一端部のモジュラープラグの位置まで移動させる必要が有る。つまり機器間で既に接続された回線ケーブルのモジュラープラグに対してこの発明を適用する場合には一度回線ケーブルの挿抜を行う必要があり、重要信号が流れている機器の場合には信号が一時的に遮断されるので適用が難しい。
【０００９】
本願の発明の目的は、上述した事情に鑑みなされたもので、電 話 機 、モデム、ターミナルアダプタ、ルータ、ネットワークハブ 等の通信機器と回線用回線ケーブルを接続しているモジュラープラグの意図しない抜き出しを防止するモジュラープラグ保持具を提供することである。
【００１０】
また、この発明の別の目的は、既に機器に接続されている回線ケーブルのモジュラープラグへの適用が可能で、稼働中のモジュラープラグを抜くことなしにモジュラープラグへ適用することができるモジュラープラグの意図しない抜き出しを防止するモジュラープラグ保持具を提供することである。
【課題を解決するための手段】
【００１１】
上述した課題を解決し、目的を達成するため、この発明に係る各種什器のモジュラープラグ保持具は、係止爪が先端部に付着されたモジュラープラグに装着されるモジュラープラグ保持具であって、前記モジュラープラグ保持具の構成部材として、前記モジュラープラグの底面の一部分を覆う底面部と、前記モジュラープラグの一方の側面の一部分及び前記モジュラープラグの上面の一部分を覆う第１部材と、前記モジュラープラグの他方の側面の一部分及び前記モジュラープラグの上面の前記第１部材で覆われていない一部分を覆う第２部材とを備え、
前記底面部と前記第１部材及び前記底面部と前記第２部材が折り曲げ可能に接続されて一体として形成され、
前記モジュラープラグを囲むように前記第１部材の端部と、前記第２部材の端部を結合することで、前記係止爪の前記モジュラープラグの本体方向に向けての移動を妨げる係止爪移動防止部材が前記係止爪と前記モジュラープラグの本体との間の隙間へ挿入されることを特徴とするモジュラープラグ保持具である。
【００１２】
この発明に係るモジュラープラグ保持具は、構成部材として、モジュラープラグの底面の一部分を覆う底面部と、前記モジュラープラグの一方の側面の一部分及び前記モジュラープラグの上面の一部分を覆う第１部材と、前記モジュラープラグの他方の側面の一部分及び前記モジュラープラグの上面の前記第１部材で覆われていない一部分を覆う第２部材とを備え前記底面部と前記第１部材及び前記底面部と前記第２部材が折り曲げ可能に接続され、前記モジュラープラグを囲むように前記第１部材の端部と、前記第２部材の端部を結合することで係止爪移動防止部材が、係止爪とモジュラープラグ本体との間へ挿入され係止爪の移動を妨げるので確実に係止爪の移動を防ぐことができる。
【００１５】
この発明に係るモジュラープラグ保持具は、モジュラープラグ保持具のモジュラープラグに接する面又は前記第１部材の端部と前記第２部材の端部にそれぞれ設けられる結合部を結合して前記モジュラープラグを囲むように前記モジュラープラグ保持具を構成する際に対向する結合部の少なくとも一つの面に薄膜の弾性部材が貼付されていることを特徴とする請求項１に記載のモジュラープラグ保持具である。
【００１６】
構成部材を結合してモジュラープラグ保持具でモジュラープラグを覆うとモジュラープラグ保持具のモジュラープラグに接する面に弾性部材の薄膜が有るので例えば合成樹脂同士よりも摩擦力が増えてモジュラープラグ保持具とモジュラープラグの間の固定がより確実になる。また、対向する結合部の少なくとも片面に弾性部材を張ることで結合部を結合した後の結合部間の隙間を埋めるので外観が改良される。
【００１７】
請求項３に記載の発明は、前記第１部材の端部と前記第２部材の端部にそれぞれ設けられる結合部に同軸の穴が設けられ、片方の穴に雌螺子が形成され、他方の穴へ挿通される雄螺子と前記雌螺子との螺合による係止力で前記モジュラープラグを覆う前記モジュラープラグ保持具が構成されることを特徴とする請求項１又は２に記載のモジュラープラグ保持具である。
【００１８】
前記第１部材の端部と前記第２部材の端部にそれぞれ設けられる結合部に同軸の穴が設けられ、片方の穴に雌螺子が形成され、他方の穴へ挿通される雄螺子と前記雌螺子との螺合による係止力で前記モジュラープラグを覆う前記モジュラープラグ保持具が構成されるので組み立てが容易である。
【００１９】
請求項４に記載された発明は、請求項３に記載のモジュラープラグ保持具において、前記同軸の穴が上下方向に設けられることを特徴とするモジュラープラグ保持具である。
【００２０】
モジュラープラグ保持具３ ０ は結合部の孔２ ８ ， ２ ９ が上面に位置するので、ハブなどで並んでいるモジュラープラグに対して装着して固定する作業が上面から行えるので作業が容易になる。
【００２１】
請求項５に記載された発明は、前記係止爪を被う爪カバーを有するモジュラープラグに装着される前記モジュラープラグ保持具であって、前記第１部材の端部と前記第２部材の端部にそれぞれ設けられる結合部を結合することで形成される前記係止爪を囲む前面開口部が前記爪カバーの先端部よりも前面に位置し、前記前面開口部に設けられた垂れ壁部の下端の前記モジュラープラグの上面からの距離が、前記爪カバーの先端部の上端の前記モジュラープラグの上面からの距離よりも小さく構成されていることを特徴とする請求項１乃至４の何れかに記載のモジュラープラグ保持具である。
【００２２】
モジュラープラグ保持具の前面開口部が、爪カバーの先端部よりも前面の側に位置し、前面開口部に設けられた垂れ壁部の下端のモジュラープラグの上面からの距離が、爪カバーの先端部の上端のモジュラープラグの上面からの距離よりも小さく構成されているので、モジュラープラグ保持具の回線方向への移動を爪カバーの先端部に当たる垂れ壁部が防止する。
【００２３】
請求項６に記載された発明は、前記モジュラープラグの前記モジュラージャックへ挿入される第一部分と、該第一部分よりも後面の側で高さ方向の寸法が階段状に大きくなる第二部分との間に段差を有する底面を備える前記モジュラープラグへ装着される前記モジュラープラグ保持具であって、前記モジュラープラグへ取り付ける際に、前記段差よりも前記前面の側に位置し前記段差により前記モジュラープラグ保持具の回線ケーブル方向への移動を妨げる第一の移動防止部材を備えることを特徴とする請求項１乃至４の何れかに記載のモジュラープラグ保持具である。
【００２４】
モジュラープラグの高さが回線方向で大きくなり、モジュラープラグの係止爪の付かない側の下面が階段状に段差７を有するものがある（図３（ハ）、（ニ））。モジュラープラグ保持具を回線ケーブル方向へ移動する際にこの段差７に当る第一の移動防止部材５５を備えるモジュラープラグ保持具は、第一の移動防止部材５５と段差７によりモジュラープラグの回線ケーブル方向への移動を妨げることになる（図７（ハ）、（ニ））。
【００２５】
請求項７に記載された発明は、回線ケーブルの延伸方向と略直角の方向に刻みが設けられたモジュラープラグブーツを備えるモジュラープラグに取り付けられる前記モジュラープラグ保持具であって、前記刻みにより前記モジュラープラグ保持具の回線ケーブル方向への移動を妨げる第二の移動防止部材を備えることを特徴とする請求項１乃至４の何れかに記載のモジュラープラグ保持具である。
【００２６】
モジュラープラグには、図３に示すように回線ケーブルの折り曲げ保護のために刻みが複数入れてあるモジュラープラグブーツを備えるものがある。この刻みに嵌る移動防止部材を備えることでモジュラープラグ保持具は回線ケーブルに沿って移動することがなくなる。
【００２７】
請求項８に記載された発明は、前記モジュラープラグの底面の段差よりも前面の側に位置し前記段差により前記モジュラープラグ保持具の回線ケーブル方向への移動を妨げる第一の移動防止部材又は回線ケーブルの延伸方向と略直角の方向に設けられたモジュラープラグブーツの刻みにより前記モジュラープラグ保持具の回線ケーブル方向への移動を妨げる第二の移動防止部材を備える移動防止アダプタ６０が、前記モジュラープラグの本体へ係止される移動防止突起２４を有し、前記モジュラープラグの本体へ後付けされることを特徴とする請求項１乃至４の何れかに記載のモジュラープラグ保持具である。
【００２８】
移動防止アダプタ６０は後付けされるので、モジュラープラグ保持具を適用するモジュラープラグの形状に応じてこのアダプタの適用を選択することができる。
【００２９】
請求項９に記載された発明は、前記構成部材を結合することで形成される前記モジュラープラグを囲む開口部の結合方向の寸法が、囲われる前記モジュラープラグの外形寸法よりも小さく構成されている部分を有することを特徴とする請求項１乃至８何れかに記載のモジュラープラグ保持具である。
【００３０】
構成部材を結合することで形成されるモジュラープラグを囲む開口部の寸法が囲われるモジュラープラグの寸法よりも小さく構成されているので、構成部材を結合するとモジュラープラグ保持具の構成部材とモジュラープラグの本体との間で締め付けが起こりモジュラープラグ保持具がモジュラープラグへ固定される。
【００３７】
請求項１０に記載された発明は、係止爪が先端部に付着された複数のモジュラープラグに装着されるモジュラープラグ保持具であって、前記モジュラープラグの下部を保持する第２構成部材と該第２構成部材に係止されて前記モジュラープラグの上部を保持する第１構成部材を備え、前記第１構成部材が前記係止爪のモジュラープラグ本体への移動を妨げる係止爪移動防止部材を有し、前記係止爪移動防止部材４５が前記係止爪に当たらないように前記第１構成部材を前記第２構成部材へ乗せた後に前記第１構成部材をずらして前記係止爪移動防止部材が前記係止爪と前記モジュラープラグ本体の間へ挿入されるように前記第１構成部材の前記モジュラープラグを保持する部分の幅方向の寸法が、前記第２構成部材の前記モジュラープラグを保持する部分の幅方向にずらす距離を加味した大きさに形成されていることを特徴とするモジュラープラグ保持具である。
【００３８】
係止爪移動防止部材を有する構成部材におけるモジュラープラグを保持する部分の幅方向の寸法がモジュラープラグの幅方向の寸法に比べ所定の大きさだけ大きく形成されているので、構成部材を結合する前に係止爪を前面開口部の溝へ入れてから係止爪とモジュラープラグの本体との間へ係止爪移動防止部材が挿入されるように構成部材を移動させた後に結合することができる。
【発明の効果】
【００３９】
この発明によれば、モジュラープラグがモジュラージャックから意図せずに抜き出されることを防止する手段を提供することが可能になる。
【００４０】
また、この発明によれば、回線機器を接続する通電状態でのモジュラープラグが意図せずに抜かれることを防止する手段を提供することが可能になる。
【図面の簡単な説明】
【００４１】
【図１】本発明の第一実施例のモジュラープラグ保持具がモジュラープラグへ付着された様子を示す斜視図である。
【図２】モジュラープラグの係止爪と爪カバーの寸法の説明図である。
【図３】モジュラープラグブーツを有する各種モジュラープラグの側面図である。
【図４】本発明の第一実施例の展開図である。
【図５】本発明のアダプタの説明図である。
【図６】本発明の第一実施例の外観図である。
【図７】各種モジュールプラグとそれに適合するモジュールプラグ保持具の説明図である。
【図８】本発明の第二実施例の外観図である。
【図９】本発明の第三実施例の外観図である。
【図１０】特殊螺子とそのドライバの一例の説明図である。
【発明を実施するための形態】
【００４２】
（実施例１）
図１のモジュラープラグ保持具１は、モジュラープラグ２へ付着された様子を示している。モジュラープラグ２は回線ケーブル３に接続されている。モジュラープラグ２の画面左方向の部分がモジュラージャックへ挿入されて十分に差し込まれることでモジュラープラグの左端に付いている係止爪によりモジュラージャックへ係止される。モジュラープラグの形状はモジュラージャックへ挿入される部分は規格化されているが、モジュラージャックの外へでている回線ケーブルとの接続部は様々な形状のものが市販されている。
【００４３】
図１（Ｂ）は、モジュラープラグの底面が図１の下方へ階段状に降りて段差を有する底面を備えるモジュラープラグとこれに対応するモジュラープラグ保持具である。モジュラープラグの底面の段差７に対応する壁５５が設けられている。
【００４４】
図２（Ａ）のモジュラープラグの係止爪の説明図を使いモジュラープラグのモジュラージャックへの係止について説明する。電話回線で使われるＲＪ１やＬＡＮ回線で使われるＲＪ４５は規格化されており、その外径寸法、コネクタ端子、係止爪などが決められている。またモジュラージャックもモジュラープラグを受け入れ可能なように内径寸法、コネクタ端子、係止爪端子を入り口で係止する係止溝の寸法が定められる。係止溝の幅は係止爪の幅狭部分より幅が広く係止爪の幅広部分よりも幅が狭く形成されている。
【００４５】
図２（Ａ）のモジュラープラグの端子側からモジュラージャックへ挿入されると、係止爪４の幅広部分（幅＝Ｗｔｗ）がモジュラージャックの入り口部分に設けられた係止溝で押下されて係止爪４がモジュラージャックの本体方向、図の下方へ移動する。さらに挿入が進むと今まで押下されていた係止爪４の幅狭部分（幅＝Ｗｔｎ）がモジュラージャックの係止溝へ入り込み係止爪の弾性により上方へ移動する。この状態では係爪の幅広部分がモジュラージャックの係止溝へ当ってモジュラープラグをモジュラージャックから抜くことが出来ない。
【００４６】
そこで、モジュラープラグをモジュールジャックから抜くときは、係止爪４を押下してモジュラープラグの本体へ近づけ、モジュールジャックの入り口に設けられた係止溝の端に当たらない位置まで移動させた状態で回線ケーブル方向へモジュラープラグを移動させる。
【００４７】
モジュラープラグをモジュールジャックから抜くには係止溝から係止爪４を外す必要があり、そのためには係止爪４をモジュラープラグの本体へ近づけることが必要となる。従って、意図しないモジュラープラグのモジュラージャックからの抜けを防止するには、係止爪に外部から触れられないように係止爪４を覆うことが有効となる。ここで、図１のモジュラープラグ２のモジュラープラグ保持具１から左方へはみ出ている部分はモジュラージャックへ挿入されるので係止爪に外部から触ることは困難になる。
【００４８】
係止爪はモジュラープラグの規格で全てのモジュラープラグで共通であるが、それ以外の形状については、使い勝手を考えて色々なものが用意されている。図３にその一例を示す。
【００４９】
市販されている組み立て済みのモジュラープラグには図３のようにモジュラープラグにモジュラープラグブーツ８を付着して回線ケーブルの保護を行っているモジュラープラグが存在する。回線ケーブルの折り曲げに対して保護のためにモジュラープラグブーツ８には回線ケーブの延伸方向に対して略直角方向へ刻みが作られている。
【００５０】
また、モジュラープラグ本体の形状も、図３（ハ）、（ニ）にあるようにモジュラージャックへ挿入される第一部分と回線ケーブルを固定する第二部分から構成され、その下面が図の下方へ階段状に段差７を有するものがある。このようなモジュールプラグに対して、モジュールプラグ保持具の移動を防止する移動防止部材となる図５に示すような移動防止アダプタ６０を図３に示すモジュラープラグへ適用することでモジュラープラグ保持具の移動を防止することができる。
【００５１】
ここで、係止爪の動きを確実に防止することについて図４を用いて説明する。図４（Ａ），（Ｂ）は図１（Ａ），（Ｂ）のモジュラープラグ保持具１の展開図である。図４（Ａ）はモジュラープラグの底面に段差の無いもの、図４（Ｂ）はモジュラープラグの底面に段差を有するものに対応する。ここで、モジュラージャックへ挿入される側を前面、回線ケーブルが接続される側を後面と呼ぶ。モジュラープラグ保持具１は、モジュラープラグ２の前面と後面以外の残りの面を部分的に覆う構成部材から成っている。これを一体物として射出成形などで製造する場合にこの展開図のようにプラグモジュールの幅方向のほぼ中心線付近で分割することが好ましい。複数の構成部材を折り曲げて使うために薄く成形されて折り曲げ容易なヒンジ（蝶番）１７が含まれる。
【００５２】
図４（Ａ）には、図２（Ａ）のように底面が平坦なモジュールプラグをモジュールプラグ保持具を組み立てる際の主に締め付けにより固定するモジュールプラグ保持具が示されている。また、図４（Ｂ）には、モジュールプラグの底面の段差を用いたり、モジュラープラグブーツの刻みを利用してモジュールプラグの回線方向への移動を防止するモジュールプラグ保持具が示されている。モジュールプラグの底面の段差７を利用するために前面部に移動防止壁５５が設けられている。
【００５３】
ここで、図５を用いて別部品として後からモジュールプラグ保持具へ載せる移動防止アダプタの説明をする。モジュールプラグには図３に示すモジュラープラグブーツ８と呼ばれる回線ケーブル保護のために形成された刻みのある部材を有するものが有る。図４の移動防止アダプタ６０の上面に備えられた移動防止突起２４がモジュールプラグの移動防止部材となる。移動防止アダプタ６０の下面には移動防止アダプタをモジュールプラグ保持具へ係止するための図４（Ｂ）の孔２７へ嵌る係止突起２６が備えられている。図５のａ方向が前面すなわちモジュラージャック側、ｂが後面すなわち回線ケーブル側になる。
【００５４】
図５の移動防止アダプタ６０の移動防止突起２４と係止突起２６の間の距離は目的により変えることもできる。例えば図３（Ｂ）の展開図に示されるモジュールプラグ保持具へ、図４に示すアダプタ６０のｂをアダプタモジュール保持具の前面へ、ａを後面に向けて載せる。そして、モジュールプラグを覆うように右結合部と左結合部を合わせて結合する。移動防止アダプタ６０の移動防止突起２４が図３（ハ），（ニ）の段差７の前面の側に位置するように移動防止突起２４と係止突起２６の間の距離を選ぶことで、モジュールプラグ保持部を回線ケーブル方向へ移動させると移動防止突起２４が段差７に当たり、モジュールプラグの回線ケーブル方向への移動を防止する。
【００５５】
図４に示す展開図の上方がモジュラープラグのモジュラージャックへ挿入される前面側で、図４の下方がモジュラープラグの回線ケーブルが出入りする後面側である。モジュラープラグ保持具１をモジュラープラグ２へ装着する際は、先ず中央の底面部１２をモジュラープラグの係止爪の付いていない底部へ当てる。そして左側面部１１及び右側面部１３をヒンジ１７の部分を曲げて立ち上げモジュラープラグ２を包むように覆う。そうするとモジュラー保持具の上部に相当する左上面部１５、右上面部１６がほぼ平面となってモジュラープラグ保持具の頭部を形成し、結合部に明けられた孔１８と孔１９が同軸になるように向かい合う。
【００５６】
モジュラープラグを包み込むように覆う際に図４の上方に有る係止爪の移動を防止する係止爪移動防止部材１４，１４'が係止爪４とモジュラープラグの本体との間の隙間へ挿入される。係止爪移動防止部材１４，１４'が係止爪４とモジュラープラグの本体との間の隙間へ挿入されることで例えばモジュラージャックとモジュラープラグの間から薄板などで係止爪を押下することが防止される。
【００５７】
この状態で結合部の孔１８，１９へ螺子を通して螺子を締める。孔１９側へナットを埋め込んでおいても良いが、孔１９へ螺旋状の溝を形成しておくことで別部材としてのナットは不要となる。ここで左側面部１１及び右側面部１３で作られる空間の幅方向の寸法がモジュラープラグの幅寸法よりも小さめに作られていると螺子を締めることで左側面部１１及び右側面部１３がそれぞれ、モジュラープラグの左側面と右側面に当たり強く押されてモジュラープラグへモジュラープラグ保持具が固定される。
【００５８】
また、モジュラープラグ保持具の左側面部１１又は右側面部１３の内側へゴムや柔軟性のある有機樹脂の薄膜を貼り付けておくとモジュラープラグの側面との摩擦力が増して、モジュラープラグへのモジュラープラグ保持具の固定がより簡便に行える。
【００５９】
またゴムや柔軟性のある有機樹脂の薄膜を結合部の向かい合う面へ貼り付けることで、螺子を締めた際に左上面部１５と右上面部１６の間にできる隙間を埋めて外観の改良となる。
【００６０】
ここで、図２用を併せ用いて爪カバーによりモジュラープラグ保持具の移動が妨げられる様子を詳細に説明をする。モジュラープラグ保持具１の前面開口部２５の幅（モジュラープラグをコネクタ側から見て係止爪を上部へ位置させたときの横方向の寸法）は、係止爪の幅狭部の幅Ｗｔｎ（図２（Ｂ））よりも広くなっており前面開口部２５の開口範囲の中で係止爪は上下方向へ自由に動くことができる。
【００６１】
図２（Ｃ）に示すように、モジュラープラグがモジュラージャックへ挿入される際に、モジュラージャックの係止壁５０に押下される。係止爪４はモジュラープラグの本体方向へ移動してモジュラージャックの係止壁５０を潜り抜けた後に係止爪の幅狭部分（幅＝Ｗｔｎ）弾性力で上方へ移動して係止爪の幅広部分（幅＝Ｗｔｗ）が係止壁５０により係止されてモジュラープラグはモジュラージャックへ係止される。
【００６２】
そのとき、図４の垂れ壁部２２，２３は図２（Ｃ）に示すように、爪カバー５のモジュラージャック側の前面側に位置する。垂れ壁部２２，２３の下端のモジュラープラグの上面からの距離Ｈｈｍ１は、爪カバー５の先端部の上端のモジュラープラグの上面からの距離Ｈｍｃ２よりも小さく取られている。そこでモジュラープラグ保持具を図の右方向へ移動させると垂れ壁部２２，２３が爪カバー５の先端部と当たるので、垂れ壁部２２，２３がモジュラープラグ保持具のモジュラープラグの回線方向への移動を阻止することになる。
【００６３】
実施例１の外観図である図６を用いて前面開口部２５の形状について説明する。前面開口部２５は係止爪４が入る開口である。この前面開口部２５の上端に垂れ下がって設けられているのが垂れ壁部２２，２３である。この垂れ壁部を持つモジュラープラグ保持具を爪カバー５付のモジュラープラグに適用することで上述のようにモジュラープラグ保持具がモジュラープラグの回線方向へ抜け出すことを防止することができる。
【００６４】
図６の開口部２５の下方には、突起１４、１４'が係止爪移動防止材として形成されている。突起１４、１４'は、係止爪４とモジュラープラグの本体との間へ挿入されて係止爪が下方へ押下されることを防止する。
【００６５】
図７に、図３に示したブーツのついた各モジュールプラグに対応するモジュラープラグ保持具のモジュラープラグからの抜け出しを防止する様子を示す。図７（イ）は、爪カバーの無いモジュラープラグの保持を移動防止アダプタ６０を用いてブーツの刻みを利用して行っている。
【００６６】
図７（ロ）は爪カバー５のついた爪カバー５の上端がモジュラープラグ保持具の前面にある垂れ壁に当って、モジュラープラグ保持具の移動が防止される。図７（ハ）、（ニ）は共に、モジュラープラグの底面に段差７が有る場合で、その段差７に移動防止壁５５が当ってモジュラープラグ保持具の移動が防止される。
【００６７】
（実施例２）
図８は本発明の第二実施例のモジュラープラグ保持具３０の外観図である。ここでも、モジュラープラグの底面に段差が有る場合は、図６（Ｂ）のように移動防止壁５５を備えるモジュラープラグ保持具を適用する。点線は内部の構造を示している。左右方向へ開くと第一実施例の図４に似たような形になる。底面部３７へモジュラープラグ２の底面を当ててモジュラープラグを包むように側壁３１，３２を立ち上げ、結合部の孔が同軸になるように左右を締め付ける。第一実施例との違いは結合部の位置で、頭部へ結合部が設けられていることである。第二実施例ではモジュラープラグとモジュラープラグ保持具との固定は、モジュラープラグを上下方向から挟むことで行うので、右側面部３２に繋がる部材のモジュラープラグの本体の上部へ当たる部分が左側面部３１に繋がる部材に比べて下方へ若干下がってモジュラープラグ抑え部となる凸部３９を形成している。
【００６８】
モジュラープラグ２へモジュラープラグ保持具１を締め付けて固定するには、モジュラープラグ保持具を組み立てたときに固定方向でモジュラープラグの外形寸法よりも若干小さい部分が有用である。ここでは凸部３９が図８に示すモジュラープラグ保持具の固定方向である下方へ形成されて開口寸法を小さくしている。
【００６９】
螺子を結合部に設けられた孔２８へ通して孔２９のナット又は孔２９へ形成された溝へ螺合させることでモジュラープラグ保持具３０の組み立てができる。螺子の締め具合を調節することで、モジュラープラグ保持具のモジュラープラグ抑え部となる右側面部の抑え用凸部３９とモジュラープラグ２の本体の上面との間の固定強度を調節することができる。
【００７０】
モジュラープラグ保持具３０でモジュラープラグ２を包みこむように覆うと、モジュラープラグの端子側が図８の右側へ、回線ケーブルが図８の左側へ位置するようになる。この状態で、突起３５、３５'が係止爪移動防止部材として係止爪４とモジュラープラグの本体の上面との隙間へ挿入されるので、係止爪４の意図しない動きを防止することができる。
【００７１】
モジュラープラグ保持具３０は結合部の孔２８，２９が上面に位置するので、ハブなどで並んでいるモジュラープラグに対して装着して固定する作業が上面から行えるので作業が容易になる。
【００７２】
（実施例３）
次に、複数のモジュラープラグが並んで装着される場合に本発明を適用する例を図９を用いて説明する。
【００７３】
２個以上のモジュラープラグの保持が本発明の適用範囲となる。図９には一つモジュラープラグが記載されているが、実際には全ての保持部へモジュラープラグが装着される場合が多い。
【００７４】
実施例１及び実施例２の場合と異なり、モジュラ-プラグ保持具４０の第一構成部材４１及び第二構成部材４２は分離可能に形成される。第二構成部材４２はモジュラープラグ２の底面の側を保持し、第一構成部材４１はモジュラープラグ２の係止爪の付いている上面の側を保持する。
【００７５】
モジュラープラグの底面の側を第二構成部材４２で保持した後に、第一構成部材４１を被せてモジュラープラグを覆い、覆った後に図の左方向（←方向）へずらせて突起４５が係止爪とモジュラープラグ本体の上面との隙間へ挿入されるようにする。
【００７６】
第一構成部材４１の結合部に設けられた孔４８、孔４８‘が、第二構成部材４２に設けられた孔４９、孔４９’と同軸になるように第一構成部材４１の位置を調節して螺子で結合して固定する。この状態で、突起４５が係止爪とモジュラープラグ本体の上面との隙間へ挿入される。固定状態にするためにずらす過程で構成部材がモジュラープラグへ当らないためには、構成部材４１のモジュラープラグが嵌る幅はずらす距離を加えた所定の大きさに形成する。
【００７７】
図９の場合、５個のモジュラープラグを保持するモジュラープラグ保持具が２個の結合部で結合されるので管理対象のモジュラープラグの数に比べて少ない結合部の管理で済み、個別にモジュラープラグ保持具を用いる場合に比べて管理が容易になる。
【００７８】
モジュラープラグ保持具の管理は結合部を結合させる螺子の管理に繋がる。螺子に特殊なものを用いることで侵入者による行為が困難になる。例えば図１０に示す６角レンチ螺子は頭の６角レンチを受け入れる部分に突起があり、通常の６角レンチを使うことができない。この螺子を回すには中央に穴の開いた特殊な６角レンチが必要になる。管理体制の重要度に応じて特殊螺子とこの特殊螺子を回す工具のセットを用意することでモジュラープラグ保持具の管理をすることができる。
【００７９】
上記にて詳細に説明したように本発明により、モジュラープラグの意図しない引抜きを確実に防止する安価なモジュラープラグ保持具を提供することが可能になる。
【符号の説明】
【００８０】
１  第一実施例のモジュラープラグ保持具
２  モジュラープラグ
３  回線ケーブル
４  係止爪
５  爪カバー
６  爪カバーの先端部
７  段差
８  モジュラープラグブーツ
１１  左側面部
１２  底面部
１３  右側面部
１４、１４'  突起（係止爪移動防止部材）
１５  左上面部
１６  右上面部
１７  蝶番部（ヒンジ）
１８  左結合部の孔
１９  右結合部の孔
２０  前面開口部の左側壁
２１  前面開口部の右側壁
２２  左の垂れ壁部
２３  右の垂れ壁部
２４  移動防止突起
２５  前面開口部
２６  係止突起
２７  係止用孔
２８  上結合部の孔
２９  下結合部の孔
３０  第二実施例のモジュラープラグ保持具
３１  左側面部
３２  右側面部
３３  前面部
３４  前面空間
３５、３５'  突起（係止爪移動防止部材）
３６  前面開口部
３７  底面部
３８  後面空間
３９  モジュラープラグ抑え部
４０  第３実施例のモジュラープラグ保持具
４１  第一構成部材
４２  第二構成部４５  突起（係止爪移動防止部材）
４６  前面開口部
４８、４９    第一結合部の孔
４８'、４９'  第二結合部の孔
５０  係止壁
５５  移動防止壁
６０  移動防止アダプタ
【図１】
0006723778.tif 000002
【図２】
0006723778.tif 000003
【図３】
0006723778.tif 000004
【図４】
0006723778.tif 000005
【図５】
0006723778.tif 000006
【図６】
0006723778.tif 000007
【図７】
0006723778.tif 000008
【図８】
0006723778.tif 000009
【図９】
0006723778.tif 000010
【図１０】
0006723778.tif 000011